(57)【要約】【課題】  配水管やスプリンクラヘッド内の動圧や静圧の変化を天井の下から容易かつ細かく目視し判別することができるスプリンクラ消火設備を提供する。【解決手段】  流体が充填されるスプリンクラヘッド１にその通水路に連通する分岐手段１１、１２を設け、この分岐手段１１、１２に先の流体の圧力変化によって光強度が変化する圧力励起発光体１３、１４を天井の下面から露出して取り付けた。この場合、圧力励起発光体１３、１４として、流体の動圧を測定する応力励起発光体１３及び静圧を測定する光励起発光体１４の少なくとも一方を設けた。【選択図】        図１
2005278902.tif 000002
【特許請求の範囲】
【請求項１】
流体が充填されるスプリンクラヘッドにその通水路に連通する分岐手段を設け、該分岐手段に前記流体の圧力変化によって光強度が変化する圧力励起発光体を天井の下面から露出して取り付けたことを特徴とするスプリンクラ消火設備。
【請求項２】
圧力励起発光体として、流体の動圧を測定する応力励起発光体及び静圧を測定する光励起発光体の少なくとも一方を設けたことを特徴とする請求項１記載のスプリンクラ消火設備。
【請求項３】
圧力励起発光体を一方を開口し他方を閉塞したパイプ状に構成し、該パイプ内に前記流体を導入することを特徴とする請求項１または２記載のスプリンクラ消火設備。
【請求項４】
圧力励起発光体を板状に構成し、該板状部に前記流体を接触させることを特徴とする請求項１または２記載のスプリンクラ消火設備。
【請求項５】
圧力励起発光体をセラミックス系の粉体を加工して形成したことを特徴とする請求項１〜４のいずれかに記載のスプリンクラ消火設備。
【請求項６】
応力励起発光体を、セラミックス系無機材料に、樹脂、ゴム、金属を混合して構成したことを特徴とする請求項１〜４のいずれかに記載のスプリンクラ消火設備。
【発明の詳細な説明】
【技術分野】
【０００１】
本発明は、スプリンクラ消火設備に係り、より詳しくは、応力励起発光体や光励起発光体を利用して配水管やスプリンクラヘッド内の流体の動圧と静圧を表示して異常を事前に発見することができるスプリンクラ消火設備に関する。
【背景技術】
【０００２】
従来は、天井の下からは、スプリンクラヘッドに水圧等の流体圧が正常にかかっているかどうかを十分に把握することができなかった。
例えば、従来のスプリンクラヘッド取付台においては、スプリンクラヘッドを配管に取付ける取付台の目視できる位置に、取付台の内外に出没自在となる水圧表示体を取り付け、この表示体を、水圧が掛かっていないときに取付台内に没入させ、加圧水の水圧を受けたときは取付台外に突出させるように形成したものである（例えば、特許文献１参照）。
【０００３】
【特許文献１】特公昭５５−２５８６３号公報（第１頁、第１図〜第３図）
【発明の開示】
【発明が解決しようとする課題】
【０００４】
従来のスプリンクラヘッド取付台では、取付台の内外に出没自在となる水圧表示体を取り付けたが、水圧表示体の出没を下方より十分に把握しにくく、また水圧の微妙な変化を把握することも困難であった。
【０００５】
本発明は上記のような課題を解決するためになされたもので、配水管やスプリンクラヘッド内の動圧や静圧の変化を天井の下から容易かつ細かく目視し判別することができるスプリンクラ消火設備を提供することを目的とする。
【課題を解決するための手段】
【０００６】
本発明に係るスプリンクラ消火設備は、流体が充填されるスプリンクラヘッドにその通水路側に連通する分岐手段を設け、該分岐手段に前記流体の圧力変化によって光強度が変化する圧力励起発光体を天井の下面から露出させて取り付けたものである。
【０００７】
本発明に係るスプリンクラ消火設備は、圧力励起発光体として、流体の動圧を測定する応力励起発光体及び静圧を測定する光励起発光体の少なくとも一方を備えたものである。
【０００８】
本発明に係るスプリンクラ消火設備は、圧力励起発光体を一方を開口し他方を閉塞したパイプ状に構成し、該パイプ内に前記流体を導入するようにしたものである。
【０００９】
本発明に係るスプリンクラ消火設備は、圧力励起発光体を板状に構成し、該板状部に前記流体を接触させるようにしたものである。
【００１０】
本発明に係るスプリンクラ消火設備は、圧力励起発光体をセラミックス系の粉体を加工して形成したものである。
【００１１】
本発明に係るスプリンクラ消火設備は、応力励起発光体を、セラミックス系無機材料に、樹脂、ゴム、金属を混合して構成したものである。
【発明の効果】
【００１２】
本発明に係るスプリンクラ消火設備によれば、配水管及びスプリンクラヘッド内の流体の状態を応力励起、光励起発光技術を利用して輝度の変化を把握できるようにしたので、流体の動圧及び静圧を天井の下から容易かつ細部にわたり細かく目視して判別することができる。
【発明を実施するための最良の形態】
【００１３】
［実施の形態１］
図１は本発明の実施の形態１に係るスプリンクラ消火設備の一部を断面で示したスプリンクラヘッドの説明図、図２は図１の下面図である。
図において、スプリンクラヘッド１は、接続部２と、接続部２の下流側に位置する本体部３と、本体部３の下流側に取り付けられた保護カバー４とによって構成されている。そして、接続部２には通水路５が設けられ、また上部外周にはネジ２ａが設けられて、配水管（図示せず）に設けられたネジ部と螺合して接続される。
６はシーリングプレートで、平面ほぼドーナツ状に形成されて中心部には円筒部６ａが設けられており、スプリンクラヘッド１を天井穴３０ａに取付けたときにその外周に設置され、フランジ部６ｂが隙間を閉塞し、円筒部が本体部３に取付けられる。
【００１４】
７は接続部２の通水路５の下部開口部を閉塞する弁体で、通水路５内には配水管からの水が充水されている。８は弁体７を支持する感熱分解機構で、火災が発生したときは、その熱によりこれを構成する例えばはんだのごとき熱溶融金属が溶融して分解し、弁体７を落下させて通水路５を開放し、配水管からの水を放水する。なお、この感熱分解機構８は図示のものに限定するものではなく、例えば細いガラス管内にアルコールのごとき熱膨張材が封入されたグラスバルブなど、他の手段のものであってもよい。
【００１５】
１０はスプリンクラヘッド１の接続部２の側面に設けられて通水部５と連通する細管接続部で、この細管接続部１０には例えば銅製の第１の細管１１と第２の細管１２が接続されており、両細管１１、１２はほぼＬ字状に折曲げられて天井３０に設けた天井穴３０ａを通り、シーリングプレート６に設けた貫通穴６ｃ，６ｄから下方に突出している。なお、両細管１１、１２の先端部には、雌ねじ（または雄ねじ）が設けられている。そして、第１の細管１１には第１の圧力色別センサ１３が接続され、第２の細管１２には第２の圧力色別センサ１４が接続されて、シーリングプレート６の下面側に位置している。
【００１６】
第１の圧力色別センサー１３は応力エネルギーで発光する応力励起発光体であり、配水管やスプリンクラヘッド１中の水の動圧をセンシングし、水の応力変化によって発光するもので、圧力発光強度は応力が強くなるほど強くなり、応力変化は輝度変化によって表示される。
その構造は、図３に示すように、一端が開口された有底円筒状で内部に第１の細管１１から水が流入するパイプ状をなし、開口部１３ａ側には雄ねじ（または雌ねじ）１３ｂが形成され、第１の細管１１の端部に螺合するようにしてある。
【００１７】
また、その素材は、セラミックス系の粉体を加工したもので、例えば、金属酸化物の粉体を樹脂で固めたもの、または、アルミナ、シリカを含むセラミックス系無機材料に、混合物として、エポキシ樹脂のような樹脂、ゴム、金属を加えたものからなっている。あるいは、アルミン酸ストロンチウム（ＳｒＡｌ2 Ｏ4 ）の粒子と樹脂とからなる複合材料からなるものである。
【００１８】
第２の圧力色別センサー１４は他の光エネルギーで発光する光励起発光体であり、配水管やスプリンクラヘッド１中の水の静圧をセンシングし、静圧に比例して発光するもので、静圧変化は輝度変化によって表示される。
その構造は、図４に示すように、一端が開口された有底円筒状で内部に第２の細管１２から水が流入するパイプ状をなし、開口部１４ａ側には雄ねじ（または雌ねじ）１４ｂが形成され、第２の細管１２の端部に螺合するようにしてある。
その素材は、セラミックス系の粉体を加工したものからなる。
【００１９】
これらの第１の圧力色別センサー１３及び第２の圧力色別センサー１４の各雄ねじ（または雌ねじ）１３ｂ、１４ｂを、第１の細管１１及び第２の細管１２の雌ねじまたは雄ねじに螺入してシーリングプレート６の下面に位置させ、流体の加圧状況を天井の下から目視し管理できるようにして、品質保証の向上を図る。
【００２０】
上記のように構成した本実施の形態１の作用を説明する。配水管やスプリンクラーヘッド１に異常が生じた場合、例えば、漏水によりスプリンクラヘッド１内に動圧が生じた場合、その動圧は、第１の細管１１を通って第１の圧力色別センサー１３に伝達される。第１の圧力色別センサー１３内に充填された水に動圧が生じると、その応力変化がセンシングされ、第１の圧力色別センサー１３を構成する金属酸化物の粉体等の素材にエネルギーが付与され、このエネルギー値が光エネルギーに変換される。こうして、第１の圧力色別センサー１３が発光し、応力が大きいほどその輝度が増すので、その輝度の度合いによって応力変化を外部より検知することができる。
【００２１】
また、配水管やスプリンクラヘッド１内の静圧に異常が生じてある所定の圧力を超過または減少した場合、その静圧の異常は第２の細管１２を通って第２の圧力色別センサー１４に伝達される。第２の圧力色別センサー１４内に充填された水の静圧に変化が生じると、その静圧の変化がセンシングされ、第２の圧力色別センサー１４を構成する金属酸化物の粉体等の素材にエネルギーが付与され、このエネルギー値が光エネルギーに変換される。こうして、第２の圧力色別センサー１４が発光し、静圧が大きいほどその輝度が増すので、その輝度の度合いによって静圧変化を外部より検知することができる。なお、第２の圧力色別センサー１４は光によって励起するので、光が照射されていないときは光を照射後に検知する。
【００２２】
上記の構成では、スプリンクラヘッド１の接続部２の側面に第１の細管１１及び第２の細管１２を接続した場合を示したが、本体部３の側面に通水路５に連通して接続してもよく、また側面に限定せず、通水路５内に連通するものであればいかなる部分に接続してもよい。
また、上記の構成では流体として水を用いたが、液体であればこれに限定するものではなく、また、液体でなく気体であってもよく、流動体であればいかなるものであってもよい。
【００２３】
本実施の形態１によれば、圧力色別センサー１３、１４は工場でスプリンクラヘッド１に一体に組み込まれ、現場では簡単に取り付ける構造にして、コストアップを低くするようにし、付加価値を付けたので、客先の満足度を得ることができる。また、目視により遠くからでも簡単に圧力管理ができ、施工管理やメンテ等も容易である。
【００２４】
［実施の形態２］
実施の形態１では細管１１、１２を２本用い、それぞれの細管１１、１２に第１の圧力色別センサー１３および第２の圧力色別センサー１４を取り付けたが、本実施の形態２では細管１１、１２は第１の細管１１を１本用いるのみであり、それに動圧をセンシングする第１の圧力色別センサー１３を付けたものである（図示せず）。
その他の構成、作用、効果は、実施の形態１で示した場合と実質的に同一なので、説明を省略する。
【００２５】
［実施の形態３］
実施の形態１では細管１１、１２を２本用い、それぞれの細管１１、１２に第１の圧力色別センサー１３および第２の圧力色別センサー１４を取り付けたが、本実施の形態３では細管１１、１２は第２の細管１２を１本用いるのみであり、それに静圧をセンシングする第２の圧力色別センサー１４を付けたものである（図示せず）。
その他の構成、作用、効果は、実施の形態１で示した場合と実質的に同一なので、説明を省略する。
【００２６】
［実施の形態４］
実施の形態では、第１、第２の圧力色別センサー１３、１４は有底円筒状のパイプで構成したが、本実施の形態４では実施の形態１で示した素材と同様の素材を用いて板状に形成し、これを第１の細管１１および第２の細管１２の端部に取り付け、この板状部に接触する流体によって動圧および静圧をセンシングするようにしたものである。
【図面の簡単な説明】
【００２７】
【図１】本発明の実施の形態１に係るスプリンクラ消火設備の一部を断面で示したスプリンクラヘッドの説明図である。
【図２】図１の下面図である。
【図３】図１の第１の圧力色別センサの説明図である。
【図４】図１の第２の圧力色別センサの説明図である。
【符号の説明】
【００２８】
１  スプリンクラヘッド、２  接続部、３  本体部、４  保護カバー、６  シーリングプレート、１１  第１の細管、１２  第２の細管、１３  第１の圧力色別センサー、１４  第２の圧力色別センサー。
【図１】
2005278902.tif 000003
【図２】
2005278902.tif 000004
【図３】
2005278902.tif 000005
【図４】
2005278902.tif 000006